(57)【要約】【課題】電灯の照度を向上させる反射キャップの提供。【解決手段】電灯の照度を向上させるべく電灯のランプに嵌合されるシート状を呈するが、前記シートは、電灯のランプに嵌合されて前記ランプから発せられる光を拡散させる拡散フィルムまたは光を反射させる反射フィルムを有する前面シートと、前記前面シートの両端部とその両端部とが貼り合わせられてランプが収容される空間を提供し、前記ランプから発せられる光を反射させる反射フィルムまたは光を拡散させる拡散フィルムを有する背面シートと、を備えることを特徴とする電灯の照度を向上させる反射キャップ。【選択図】図３
2014165081.tif 000002
【特許請求の範囲】
【請求項１】
電灯の照度を向上させる反射キャップにおいて、
電灯の照度を向上させるべく電灯のランプに嵌合されるシート状を呈するが、
前記シートは、電灯のランプに嵌合されて前記ランプから発せられる光を拡散させる拡散フィルムまたは光を反射させる反射フィルムを有する前面シートと、
前記前面シートの両端部とその両端部とが貼り合わせられてランプが収容される空間を提供し、前記ランプから発せられる光を反射させる反射フィルムまたは光を拡散させる拡散フィルムを有する背面シートと、
を備えることを特徴とする電灯の照度を向上させる反射キャップ。
【請求項２】
前記前面シートまたは背面シート、またはこれらの両方に電灯のランプから発せられる光を拡散させて光の均一な照度を実現するために孔が穿孔されていることを特徴とする請求項１に記載の電灯の照度を向上させる反射キャップ。
【請求項３】
前記前面シートは、拡散フィルムと反射フィルムとが、高周波処理による融着またはアルミニウム部材による圧着により一体に貼り合わせられてなることを特徴とする請求項１に記載の電灯の照度を向上させる反射キャップ。
【請求項４】
前記シートが電灯のランプに嵌合されて前記ランプから発せられる光を透過させる拡散胴体部と、前記拡散胴体部の両端部から延設される第１拡散端部および第２拡散端部からなる拡散フィルムを有する前面シートと、前記ランプから発せられる光を前記前面シートに向けて反射させる反射胴体部と、前記拡散胴体部の両端部から延設され、前記第１拡散端部および第２拡散端部よりも広い幅を有する第１反射端部および第２反射端部からなる反射フィルムを有する背面シートと、を備え、前記第１拡散端部および第２拡散端部が反射胴体部、または第１反射端部および第２反射端部に貼り付けられることを特徴とする請求項１に記載の電灯の照度を向上させる反射キャップ。
【請求項５】
前記反射キャップの前面シートと背面シートとが貼り合わせられる個所に形成された蓄光部をさらに備えることを特徴とする請求項１に記載の電灯の照度を向上させる反射キャップ。
【請求項６】
前記拡散フィルムまたは反射フィルムは、透明ＰＥＴフィルムまたは透明ＰＰフィルムと、前記透明ＰＥＴフィルムまたは透明ＰＰフィルムの上に塗布された顔料層と、を備えることを特徴とする請求項１または４に記載の電灯の照度を向上させる反射キャップ。
【請求項７】
前記前面シートの両端部と背面シートの両端部とを接触させた状態で高周波処理による融着またはアルミニウム部材による圧着を施して前記前面シートと背面シートとを貼り合わせることを特徴とする請求項１に記載の電灯の照度を向上させる反射キャップ。
【請求項８】
前記前面シートは、前記反射キャップの一方の端部の開放部分を覆う第１覆体部および前記第１覆体部から折り返され、第１係合環を有する第１係合部からなる第１係合部材と、前記反射キャップの一方の端部の開放部分を覆う第２覆体部および前記第２覆体部から折り返され、第２係合環を有する第２係合部からなる第２係合部材とを備える係合部材がそれぞれ両端部から突設され、前記背面シートには、前記第１係合部材と係合される第１係合孔および前記第２係合部材と係合される第２係合孔を有する係合孔が穿孔され、前記第１係合部材および第２係合部材が前記蛍光灯と密着されるように互いに交差しながらそれぞれ前記第１係合孔および第２係合孔と係合されることを特徴とする請求項１に記載の電灯の照度を向上させる反射キャップ。
【請求項９】
前記反射キャップの開放部分の側面は、半円形、長円形、矩形、三角形または台形であることを特徴とする請求項１に記載の電灯の照度を向上させる反射キャップ。
【請求項１０】
前記前面シートおよび拡散フィルムを有する背面シートの内面を保持する保持具と、前記保持具に内面が保持された前面シートの外面と前記前面シートと貼り合わせられた拡散フィルムを有する背面シートの外面とを固定する固定具と、前記保持具および固定具の端部を密閉する保持壁および前記保持壁の外部に延設され、前記保持具の内側空中に嵌入された電灯の一部が露出される貫通口を有する一対の側面カバーと、前記側面カバーに脱着され、前記電灯のソケット金属部を外部に露出させる締付キャップと、をさらに備えることを特徴とする請求項１に記載の電灯の照度を向上させる反射キャップ。
【請求項１１】
前記締付キャップは、前記側面カバーの貫通口の外周縁に形成されるねじ山と噛合されるねじ山が内周縁に形成された結着具と、前記結着具の端部を密閉する密閉壁と、前記密閉壁の外部に延設されて前記結着具に嵌入された電灯のソケット金属部を露出させる露出口と、を備えることを特徴とする請求項１０に記載の電灯の照度を向上させる反射キャップ。
【請求項１２】
前記反射キャップは、電灯、壁灯、埋込灯、ＬＥＤ灯、蛍光灯、三波長ランプに採用されることを特徴とする請求項１から５のいずれかに記載の電灯の照度を向上させる反射キャップ。
【発明の詳細な説明】
【技術分野】
【０００１】
本発明は、電灯の照度を向上させる反射キャップを用いることにより、既存の様々な電灯のランプにより一層簡単に嵌合して使用可能であるため経済性に富んでおり、拡散面の表面積を広げることができる他、反射キャップを回し得るため拡散角度を調節することができ、反射キャップの場合に電灯のランプに嵌合して使用可能な構造によって反射キャップが一種のランプカバーの役割を果たすことから電灯またはランプの落下事故時にある程度の緩衝効果が得られ、ランプの破損時に割れた破片に起因する事故をある程度予防することができ、反射キャップを用いて電灯の拡散効果および照度を向上させることにより、所定の空間における電灯の使用数を低減することができて消費電力を節減することができ、孔により電灯の光の拡散効果を向上させることにより既存の電灯ムラ現象を防ぐことができ、看板照明装置のスリム化を図ることができ、スリム化による材料費を節減することができ、係合部材により反射キャップの両端部から漏れ出る光を遮断することにより反射キャップの内部に位置する電灯から発せられる光の照度を向上させることができ、昆虫、異物、ホコリが反射キャップの内部に入り込むことを防ぐことができ、安全事故を予防することができ、廃電灯の封筒として使用可能であるため環境保存性および省エネルギー性に優れており、電灯の両端部が嵌入される側面カバーに外側から電灯の端部やソケット金属部または端子ピンのみを露出させるキャップを脱着して反射キャップを組立て易くし、前記電灯のガラス管の部位が密閉された状態でソケット金属部の端子ピンを電灯器具の固定ソケットに接続・嵌入する作業により前記反射キャップを電灯器具に設置し易くする、電灯の照度を向上させる反射キャップに関する。
【背景技術】
【０００２】
一般に、蛍光灯は、事務室、工場および自宅などに設けられて設置空間を明るくする機能をする。
【０００３】
かような蛍光灯の場合に、照度量が定められており、設置空間の面積に応じて蛍光灯の設置数が定められるが、広い空間に設置される場合に多数の蛍光灯を必要とし、多数の蛍光灯を用いることにより、多大な電力が消費される。
【０００４】
このような問題点を解消するために、一つの蛍光灯から発せられる照度量を向上させて所定の空間における蛍光灯の設置数を減らしたり、同じ蛍光灯の設置数でも高い照度率を発揮する技術が開発されている。
【０００５】
例えば、下記の特許文献１には、「蛍光灯反射傘」が開示されている。
【０００６】
これは、第１反射部および第２反射部を備えることにより、蛍光灯から発せられる光の反射効率を向上させて蛍光灯の光の明るさを向上させた蛍光灯反射傘に関する。
【０００７】
しかしながら、同技術の場合、蛍光灯が照らす方向とは逆方向に発せられる光を反射部を介して反射させることにより、蛍光灯の光の明るさをある程度向上させることはできるとはいえ、反射板を用いて光の明るさを向上させるのには限界があるという問題点がある。
【０００８】
また、下記の特許文献２には、「高効率蛍光灯反射傘」が開示されている。
【０００９】
これは、蛍光灯の近くから外側に連なって大きな半径の曲面を持たせて反射効率を高め、２つの蛍光灯からの照明が互いに衝突することを防いでより明るい照度を維持することのできる高効率蛍光灯反射傘に関する。
【００１０】
しかしながら、同技術の場合、反射傘を介して蛍光灯から発せられる光を反射させて照度を向上させることはできるとはいえ、反射傘を用いた蛍光灯の照度向上を大幅に期待することができないという問題点がある。
【００１１】
上述した反射傘を用いた蛍光灯光の照度を向上させるといった先行技術は、いずれも反射傘のみを用いて蛍光灯の光の照度を向上させるのに限界がある。
【００１２】
なお、蛍光灯の照度を向上させるための反射傘の場合、蛍光灯器具本体に一体に組み付けるようになっており、異なる蛍光灯器具の本体、すなわち、吊り下げる灯の本体、壁灯の本体、および埋込灯の本体などには使用不可であるという問題点がある。
【００１３】
また、上述した従来の蛍光灯器具に適用される反射用パネルとして、通常、所定の厚さを有する金属パネルの一方の面、すなわち、前記蛍光灯と向かい合う面に反射物質をコーティングしたものを用いたり、さらなる反射板を用いたりしているため、製造時または製品の取り付け時に不便であるだけではなく、通常のコーティング物質であっても所定の期間が経過すれば変質などにより照度が低下し、これにより、前記金属パネルまたは反射板を取り替えるのに多大なコストがかかるという問題点がある。
【００１４】
また、上述した反射物質、すなわち、アルミニウムやクロムおよび光反射コーティング液を有していない反射用パネルを用いる蛍光灯器具の場合に、反射効率の向上のために蛍光灯器具全体を交替することを余儀なくされるという煩雑さがある。
【００１５】
この理由から、既存の様々な電灯のランプにより一層簡単に嵌合して使用可能であるため経済性に富んでおり、拡散面の表面積を広げることができる他、反射キャップを回し得るため拡散角度を調節することができ、孔により電灯の光の拡散効果を向上させることにより既存の電灯ムラ現象を防ぐことができ、看板照明装置のスリム化を図ることができ、スリム化による材料費を節減することができ、電灯の両端部が嵌入される側面カバーに外側から電灯の端部やソケット金属部または端子ピンのみを露出させるキャップを脱着して反射キャップを組立て易くする、電灯の照度を向上させる反射キャップの開発が切望されているのが現状である。
【先行技術文献】
【特許文献】
【００１６】
【特許文献１】大韓民国登録実用新案公報第２０−０１５６３６５号（１９９９年０６月１２月付け登録）
【特許文献２】大韓民国登録実用新案公報第２０−０１７９６２１号（２０００年０２月１１日付け登録）
【発明の概要】
【発明が解決しようとする課題】
【００１７】
本発明は上記事情に鑑みてなされたものであり、その目的は、既存の様々な電灯のランプにより一層簡単に嵌合して使用可能であるため経済性に富んでおり、拡散面の表面積を広げることができる他、反射キャップを回し得るため拡散角度を調節することができる、電灯の照度を向上させる反射キャップを提供するところにある。
【００１８】
本発明の他の目的は、反射キャップの場合に電灯のランプに嵌合して使用可能な構造によって反射キャップが一種のランプカバーの役割を果たすことから電灯またはランプの落下事故時にある程度の緩衝効果が得られ、ランプの破損時に割れた破片に起因する事故をある程度予防することができる、電灯の照度を向上させる反射キャップを提供するところにある。
【００１９】
本発明のさらに他の目的は、反射キャップを用いて電灯の拡散効果および照度を向上させることにより、所定の空間における電灯の使用数を低減することができて消費電力を節減することができる、電灯の照度を向上させる反射キャップを提供するところにある。
【００２０】
本発明のさらに他の目的は、孔により電灯の光の拡散効果を向上させることにより既存の電灯ムラ現象を防ぐことができ、看板照明装置のスリム化を図ることができ、スリム化による材料費を節減することができる電灯の照度を向上させる反射キャップを提供するところにある。
【００２１】
本発明のさらに他の目的は、係合部材により反射キャップの両端部から漏れ出る光を遮断することにより反射キャップの内部に位置する電灯から発せられる光の照度を向上させることができ、昆虫、異物、ホコリが反射キャップの内部に入り込むことを防ぐことができ、安全事故を予防することができ、廃電灯の封筒として使用可能であるため環境保存性および省エネルギー性に優れた、電灯の照度を向上させる反射キャップを提供するところにある。
【００２２】
本発明のさらに他の目的は、電灯の両端部が嵌入される側面カバーに外側から電灯の端部やソケット金属部または端子ピンのみを露出させるキャップを脱着して反射キャップを組立て易くし、前記電灯のガラス管の部位が密閉された状態でソケット金属部の端子ピンを電灯器具の固定ソケットに接続・嵌入する作業により前記反射キャップを電灯器具に設置し易くする、電灯の照度を向上させる反射キャップを提供するところにある。
【課題を解決するための手段】
【００２３】
前記目的を達成するために、本発明の好適な一実施形態による電灯の照度を向上させる反射キャップは、電灯の照度を向上させるべく電灯のランプに嵌合されるシート状を呈するが、前記シートは、電灯のランプに嵌合されて前記ランプから発せられる光を拡散させる拡散フィルムまたは光を反射させる反射フィルムを有する前面シートと、前記前面シートの両端部とその両端部とが貼り合わせられてランプが収容される空間を提供し、前記ランプから発せられる光を反射させる反射フィルムまたは光を拡散させる拡散フィルムを有する背面シートと、を備えることを特徴とする。
【００２４】
前記本発明において、好ましくは、前記前面シートまたは背面シート、またはこれらの両方に電灯のランプから発せられる光を拡散させて光の均一な照度を実現するために孔が穿孔されている。
【００２５】
前記本発明において、好ましくは、前記前面シートは、拡散フィルムと反射フィルムとが、高周波処理による融着またはアルミニウム部材による圧着により一体に貼り合わせられてなる。
【００２６】
前記本発明において、好ましくは、前記シートが電灯のランプに嵌合されて前記ランプから発せられる光を透過させる拡散胴体部と、前記拡散胴体部の両端部から延設される第１拡散端部および第２拡散端部からなる拡散フィルムを有する前面シートと、前記ランプから発せられる光を前記前面シートに向けて反射させる反射胴体部と、前記拡散胴体部の両端部から延設され、前記第１拡散端部および第２拡散端部よりも広い幅を有する第１反射端部および第２反射端部からなる反射フィルムを有する背面シートと、を備え、前記第１拡散端部および第２拡散端部が反射胴体部、または第１反射端部および第２反射端部に貼り付けられる。
【００２７】
前記本発明において、好ましくは、前記反射キャップの前面シートと背面シートとが貼り合わせられる個所に形成された蓄光部をさらに備える。
【００２８】
前記本発明において、好ましくは、前記拡散フィルムまたは反射フィルムは、透明ＰＥＴフィルムまたは透明ＰＰフィルムと、前記透明ＰＥＴフィルムまたは透明ＰＰフィルムの上に塗布された顔料層と、を備える。
【００２９】
前記本発明において、好ましくは、前記前面シートの両端部と背面シートの両端部とを接触させた状態で高周波処理による融着またはアルミニウム部材による圧着を施して前記前面シートと背面シートとを貼り合わせる。
【００３０】
前記本発明において、好ましくは、前記前面シートは、前記反射キャップの一方の端部の開放部分を覆う第１覆体部および前記第１覆体部から折り返され、第１係合環を有する第１係合部からなる第１係合部材と、前記反射キャップの一方の端部の開放部分を覆う第２覆体部および前記第２覆体部から折り返され、第２係合環を有する第２係合部からなる第２係合部材とを備える係合部材がそれぞれ両端部から突設され、前記背面シートには、前記第１係合部材と係合される第１係合孔および前記第２係合部材と係合される第２係合孔を有する係合孔が穿孔され、前記第１係合部材および第２係合部材が前記蛍光灯と密着されるように互いに交差しながらそれぞれ前記第１係合孔および第２係合孔と係合される。
【００３１】
前記本発明において、好ましくは、前記反射キャップの開放部分の側面は、半円形、長円形、矩形、三角形または台形である。
【００３２】
前記本発明において、好ましくは、前記前面シートおよび拡散フィルムを有する背面シートの内面を保持する保持具と、前記保持具に内面が保持された前面シートの外面と前記前面シートと貼り合わせられた拡散フィルムを有する背面シートの外面とを固定する固定具と、前記保持具および固定具の端部を密閉する保持壁および前記保持壁の外部に延設され、前記保持具の内側空中に嵌入された電灯の一部が露出される貫通口を有する一対の側面カバーと、前記側面カバーに脱着され、前記電灯のソケット金属部を外部に露出させる締付キャップと、をさらに備える。
【００３３】
前記本発明において、好ましくは、前記締付キャップは、前記側面カバーの貫通口の外周縁に形成されるねじ山と噛合されるねじ山が内周縁に形成された結着具と、前記結着具の端部を密閉する密閉壁と、前記密閉壁の外部に延設されて前記結着具に嵌入された電灯のソケット金属部を露出させる露出口と、を備える。
【００３４】
前記本発明において、好ましくは、前記反射キャップは、電灯、壁灯、埋込灯、ＬＥＤ灯、蛍光灯、三波長ランプに採用される。
【発明の効果】
【００３５】
本発明に係る電灯の照度を向上させる反射キャップは、下記の効果を有する。
【００３６】
先ず、第一に、本発明によれば、電灯の照度を向上させる反射キャップを用いることにより、既存の様々な電灯のランプにより一層簡単に嵌合して使用可能であるため経済性に富んでおり、拡散面の表面積を広げることができる他、反射キャップを回し得るため拡散角度を調節することができる。
【００３７】
第二に、本発明によれば、反射キャップの場合に電灯のランプに嵌合して使用可能な構造によって反射キャップが一種のランプカバーの役割を果たすことから電灯またはランプの落下事故時にある程度の緩衝効果が得られ、ランプの破損時に割れた破片に起因する事故をある程度予防することができる。
【００３８】
第三に、本発明によれば、反射キャップを用いて電灯の拡散効果および照度を向上させることにより、所定の空間における電灯の使用数を低減することができて消費電力を節減することができる。
【００３９】
第四に、本発明によれば、孔により電灯の光の拡散効果を向上させることにより既存の電灯ムラ現象を防ぐことができ、看板照明装置のスリム化を図ることができ、スリム化による材料費を節減することができる。
【００４０】
第五に、本発明によれば、係合部材により反射キャップの両端部から漏れ出る光を遮断することにより反射キャップの内部に位置する電灯から発せられる光の照度を向上させることができ、昆虫、異物、ホコリが反射キャップの内部に入り込むことを防ぐことができ、安全事故を予防することができ、廃電灯の封筒として使用可能であるため環境保存性および省エネルギー性に優れている。
【００４１】
最後に、本発明によれば、電灯の両端部が嵌入される側面カバーに外側から電灯の端部やソケット金属部または端子ピンのみを露出させるキャップを脱着して反射キャップを組立て易くし、前記電灯のガラス管の部位が密閉された状態でソケット金属部の端子ピンを電灯器具の固定ソケットに接続・嵌入する作業により前記反射キャップを電灯器具に設置し易くすることができる。
【図面の簡単な説明】
【００４２】
【図１】本発明の一実施形態に係る電灯の照度を向上させる反射キャップを説明するための電灯との結合斜視図。
【図２】本発明の一実施形態に係る電灯の照度を向上させる反射キャップを説明するための電灯との結合斜視図。
【図３】本発明の第１実施形態に係る電灯の照度を向上させる反射キャップを示す斜視図。
【図４】本発明の第１実施形態に係る電灯の照度を向上させる反射キャップを示す分解斜視図。
【図５】本発明の第２実施形態に係る電灯の照度を向上させる反射キャップを示す分解斜視図。
【図６】本発明の第３実施形態に係る電灯の照度を向上させる反射キャップを示す斜視図。
【図７】本発明の第４実施形態に係る電灯の照度を向上させる反射キャップを示す斜視図。
【図８】本発明の第５実施形態に係る係合部材を備えた反射キャップを説明するための斜視図。
【図９】本発明の第５実施形態に係る係合部材を備えた反射キャップを説明するための実施図。
【図１０】本発明の第６実施形態に係る係合部材を備えた反射キャップを説明するための実施図。
【図１１】本発明の第７実施形態に係る係合部材を備えた反射キャップを説明するための実施図。
【図１２】本発明の好適な第８実施形態に係る電灯器具用反射キャップが適用された電灯器具を示す斜視図。
【図１３】図１２の電灯器具用反射キャップの分解様子を示す分解斜視図。
【図１４】図１２の電灯器具用反射キャップにおける側面カバーおよび締付キャップを示す斜視図。
【図１５】本発明の好適な第８実施形態に係る電灯器具用反射キャップにおける側面カバーを示す正面図。
【発明を実施するための形態】
【００４３】
以下、添付図面に基づき、本発明の好適な一実施形態に係る電灯の照度を向上させる反射キャップについて詳述する。
【００４４】
図１および図２は、本発明の一実施形態に係る電灯の照度を向上させる反射キャップを説明するための電灯との結合斜視図である。
【００４５】
図１および図２に示すように、本発明の一実施形態に係る反射キャップ１００は、電灯の照度を向上させるべく電灯のランプに嵌合されるシートを備える。
【００４６】
前記シートは、電灯のランプ２００から発せられる光などの光源を反射させるものであり、より具体的には、電灯のランプ２００に嵌合される構造に形成されて様々な電灯、例えば、天井に吊り下げる灯、壁灯、埋込灯などの電灯に簡単に設けることができる。かようなシートは、主として、図１に示すように、蛍光灯に用いられるか、図２に示すように、三波長ランプまたはＴ５蛍光灯に用いられる。
【００４７】
前記シートは、電灯のランプ２００に嵌合自在に一方の側面は開放され、他方の側面は密閉されるように形成してもよく、両側面が開放されている構造に形成してもよい。
【００４８】
この種の反射キャップ１００は、電灯のランプ２００に嵌合される構造となっており、ランプ２００に嵌合された状態で反射キャップ１００の方向が調節可能である。前記反射キャップ１００の方向が調節可能であることから、電灯のランプ２００から発せられる光の照射角度を調節することができる。
【００４９】
以下、図面に基づき、各構成要素別に詳述する。
【００５０】
図３は、本発明の第１実施形態に係る電灯の照度を向上させる反射キャップを示す斜視図であり、図４は、本発明の第１実施形態に係る電灯の照度を向上させる反射キャップを示す分解斜視図である。
【００５１】
図３に示すように、本発明の第１実施形態に係る電灯の照度を向上させる反射キャップ１００は、シートを備える。前記シートは、前面シート１１０と背面シート１２０と、からなり、前記前面シート１１０と背面シート１２０とは一部が貼り合わせられる。
【００５２】
前記前面シート１１０としては、電灯のランプ２００に嵌合されて前記ランプ２００から発せられる光を拡散・透過させる役割を果たす拡散フィルムが使用可能である。また、前記前面シートとしては、拡散フィルムと反射フィルムとが高周波処理による融着またはアルミニウム部材による圧着により一体に貼り合わせられているものを採用しても構わない。
【００５３】
前記背面シート１２０は、前記前面シート１１０と一部が貼り合わせられて電灯のランプ２００が収容可能な空間を提供し、前記電灯のランプ２００から発せられる光を前記前面シート１１０に向けて反射させる反射フィルムが使用可能である。
【００５４】
前記反射キャップ１００が電灯のランプ２００に嵌合可能である限り、前記前面シート１１０および背面シート１２０は、いかなる部分が貼り合わせられていてもよいが、好ましくは、前面シート１１０および背面シート１２０の両端部が貼り合わせられる。ここで、図４に示すように、前記前面シート１１０の両端部１１４、１１６と背面シート１２０の両端部１２４、１２６とは、貼り合わせ可能である限り、いかなる方法を用いても構わないが、前面シート１１０の両端部１１４、１１６と背面シート１２０の両端部１２４、１２６を接触させた状態で高周波処理による融着を施すことが好ましい。あるいは、高周波処理の代わりに、「Ｕ」字状のアルミニウムなどの金属部材により前記前面シート１１０および背面シート１２０を圧着してもよい。
【００５５】
前記前面シート１１０および背面シート１２０は互いに密着された状態を維持していて、嵌合されるランプ２００の大きさ（厚さ）に対応するように互いに離間させた状態で電灯のランプ２００にはめ込んで（係合）設ける。このような設置方法により、前記反射キャップ１００は、ランプ２００の大きさによらずに種々の大きさのランプ２００に設けることができる。なお、前記反射キャップ１００は、前記前面シート１１０および前記背面シート１２０を備えていてもよく、設計目的に応じて前記前面シート１１０および前記背面シート１２０を一体に形成してもよい。
【００５６】
図３および図４に示すように、本発明の第１実施形態として、前記シートは、電灯のランプに嵌合されて前記ランプから発せられる光を拡散させる拡散フィルムから構成される前面シートと、前記前面シートの両端部とその両端部とが貼り合わせられてランプが収容される空間を提供し、前記ランプから発せられる光を反射させる反射フィルムを用いた背面シートと、を備えていてもよい。
【００５７】
より具体的に、前記前面シート１１０は、電灯のランプ２００に嵌合されて前記ランプ２００から発せられる光を透過させる拡散胴体部１１２と、前記拡散胴体部１１２の長手方向に沿って両端部から延設されて前記背面シート１２０に接触される第１拡散端部１１４および第２拡散端部１１６を備えていてもよい。ここで、前記第１拡散端部１１４および第２拡散端部１１６は、図４に示すように、後述する第１反射端部１２４および第２反射端部１２６とほとんど同じ大きさに形成されてもよい。ここで、前記第１拡散端部１１４および第２拡散端部１１６は、第１反射端部１２４および第２反射端部１２６よりも狭い幅を有するように形成されてもよい。
【００５８】
前記背面シート１２０は、前記ランプ２００から発せられる光を反射させる反射胴体部１２２と、前記反射胴体部１２２の長手方向に沿って両端部から延設されて前記前面シート１１０に接触される第１反射端部１２４および第２反射端部１２６を備えていてもよい。ここで、前記第１反射端部１２４および第２反射端部１２６は、図４に示すように、前記第１拡散端部１１４および第２拡散端部１１６とほとんど同じ大きさに形成されてもよい。ここで、前記第１反射端部１２４および第２反射端部１２６は、第１拡散端部１１４および第２拡散端部１１６よりも広い幅を有するように形成されてもよい。
【００５９】
図５は、本発明の第２実施形態に係る電灯の照度を向上させる反射キャップを示す分解斜視図であり、図６は、本発明の第３実施形態に係る電灯の照度を向上させる反射キャップを示す斜視図である。
【００６０】
図５に示すように、前記シートは、電灯のランプに嵌合されて前記ランプから発せられる光を拡散透過させる孔１３０付き反射フィルムから構成される前面シート１１０と、前記前面シートの両端部とその両端部とが貼り合わせられてランプが収容される空間を提供し、前記ランプから発せられる光を反射させる反射フィルムを用いた背面シート１２０と、を備える。
【００６１】
図６に示すように、別の実施形態として、前面シート１１０および背面シート１２０を両方とも孔１３０付き前記反射フィルムから形成してもよく、このような孔付き反射フィルムを介して光が均一に回折されて拡散されることにより、広い範囲に亘って均一な照度が実現される。
【００６２】
より具体的に、前記前面シート１１０は、延伸された合成樹脂材を用いて光の反射率を向上させた、背面シート１２０と同様に不透明な素材の反射フィルムから形成されてもよい。このとき、前面シート１１０および背面シート１２０は、ポリエステル系のＰＥＴまたはＰＰを用いることが好ましい。
【００６３】
前記前面シート１１０の表面にのみ形成されるか（図５参照、第２実施形態）、あるいは、前面シート１１０および背面シート１２０の両方の表面に形成される（図６参照、第３実施形態）孔１３０の数は、ランプ２００から発せられる光を拡散させて光の均一な照度が実現可能な範囲内において、設計目的に応じて適宜調節可能である。
【００６４】
但し、反射フィルムに孔を穿孔する別途の加工過程が必要であり、しかも、コストがかかるため、前記第３実施形態と同様に、前面および背面の両方ともに光を均一に拡散させるために、孔付き反射フィルムの代わりに、拡散性能に優れた拡散フィルムを両面シートとして用いると、別途の穿孔過程が不要になる。このとき、拡散性能に優れた拡散フィルムとしては、ＰＥＴフィルムが使用可能である。
【００６５】
上述した拡散フィルムおよび反射フィルムとしては、ポリエステル系のＰＥＴ（ポリエチレンテレフタレート）またはＰＰ（ポリプロピレン）を用いることが好ましいが、前記拡散フィルムは、電灯のランプ２００から発せられる光を透過させるべく透明に製造することが好ましく、前記反射フィルムは不透明に製造することが好ましい。
【００６６】
図７は、本発明の第４実施形態に係る電灯の照度を向上させる反射キャップを示す斜視図である。
【００６７】
図７に示すように、前記反射キャップ１００は、前面シート１１０と背面シート１２０とが貼り合わせられる個所に形成された蓄光部１４０をさらに備えていてもよい。ここで、前記蓄光部１４０は、前記前面シート１１０と背面シート１２０とが貼り合わせられる個所に配されると記述されているが、設計目的に応じて前記蓄光部１４０の形成個所は変わる。なお、前記蓄光部１４０には光エネルギーを吸収して放出する蓄光顔料がシルク印刷方法により塗布される。
【００６８】
また、本実施形態に係る電灯の照度を向上させる反射キャップの前面シート１１０または背面シート１２０として用いられる反射フィルムおよび拡散フィルムは、その表面に紫外線遮断コーティングを施してもよく、紫外線遮断コーティング剤が塗布されたフィルムを用いてもよい。これは、ランプ２００光から発せられる近紫外線により皮膚が損傷されることを防ぐためである。
【００６９】
さらに、前記前面シート１１０または背面シート１２０、あるいは、これらの両方の表面には、空気の殺菌および浄化のためのＴｉＯ２などの光触媒をコーティングしてもよい。
【００７０】
図８は、本発明の第５実施形態に係る係合部材を備えた反射キャップを説明するための斜視図である。
【００７１】
図８に示すように、本発明の一実施形態に係る反射キャップは、前面シート１１０と、背面シート１２０と、を備える。
【００７２】
前記前面シート１１０は、本発明に係る反射キャップ１００が蛍光灯に嵌合された状態で、内部に配設される蛍光灯から発せられる光を透過させて拡散させる役割を果たす。
【００７３】
前記背面シート１２０は、本発明に係る反射キャップが蛍光灯に嵌合された状態で、内部に配設される蛍光灯から発せられる光を前記前面シート１１０に向けて反射させる役割を果たす。
【００７４】
前記前面シート１１０および背面シート１２０は、上下端部が貼り合わせられる。なお、本発明に係る反射キャップが蛍光灯に嵌合可能である限り、前記前面シート１１０および背面シート１２０のいかなる部分を貼り合わせても構わない。
【００７５】
前記前面シート１１０および背面シート１２０は、互いに密着された状態を維持していて、図８に示すように、嵌合される蛍光灯の大きさ（厚さ）に対応するように広げて蛍光灯に嵌合して設ける。このような設置方法により、本発明に係る反射キャップは蛍光灯の大きさによらずに様々な大きさの蛍光灯に設けることができる。
【００７６】
また、本発明に係る反射キャップ１００は、前記前面シート１１０と、背面シート１２０と、を備えていてもよく、設計目的に応じて、前記前面シート１１０および背面シート１２０を一体に形成してもよい。
【００７７】
前記前面シート１１０および背面シート１２０は、ポリエステル系のＰＥＴ（ポリエチレンテレフタレート）またはＰＰ（ポリプロピレン）を用いることが好ましい。
【００７８】
前記前面シート１１０は、内部に配設される蛍光灯から発せられる光を透過および拡散させるべく透明または半透明に製造することが好ましく、前記背面シート１２０は不透明に製造することが好ましい。前記背面シート１２０は不透明に製造するが、蛍光灯から発せられる光の反射率を向上させるべく製造することが好ましい。
【００７９】
図９は、本発明の第５実施形態に係る係合部材を備えた反射キャップを説明するための実施図であり、図１０は、本発明の第６実施形態に係る係合部材を備えた反射キャップを説明するための実施図であり、図１１は、本発明の第７実施形態に係る係合部材を備えた反射キャップを説明するための実施図である。
【００８０】
図９から図１１に示すように、本発明の係合部材を備えた反射キャップは、嵌合方式により内部に蛍光灯２００を嵌め込んだ後、左右側にそれぞれ形成された第１係合部材３１０および第２係合部材３２０にそれぞれ形成された第１係合環３１４および第２係合環３２４を背面シート１２０に形成された第１係合孔２１２および第２係合孔２１４にそれぞれ係合する動作を行う。
【００８１】
これにより、前記第１係合部材３１０および第２係合部材３２０のそれぞれが有している第１覆体部３１２および第２覆体部３２２の形状によって、内部に配設される前記蛍光灯２００のピン１１を有する左右側の端部１２は本発明に係る反射キャップの左右側の端部から突出され、突出された前記端部１２のピン１１は蛍光灯本体２０のソケット部２１と係合される。
【００８２】
前記蛍光灯に嵌合する反射キャップの開放部分の側面の形状について、第５実施形態から第７実施形態においては、半円形および長円形を例示しているが、これらに何ら制限されるものではなく、未図示の矩形、三角形、台形を呈してもよい。
【００８３】
これにより、本発明に係る反射キャップは、内部に嵌着された蛍光灯から発せられる光が前記反射キャップの左右側の両端部を介して漏れ出ることを遮断することにより、蛍光灯光の照度を向上させることができる。このような反射キャップの左右側の両端部に漏れ出る光を遮断する構造により、ハエなどが反射キャップの内部に飛び込むことを防ぐことができ、持ち運び時に外部衝撃から蛍光灯を保護することができて蛍光灯の破損をある程度予防することができる。
【００８４】
また、蛍光灯または廃蛍光灯の破損を予防することにより、破損による水銀、ガラス破片などの廃棄物の生成を防ぎ得る封筒または廃蛍光灯回収封筒としての機能を行うことができる。
【００８５】
図１２は、本発明の好適な第８実施形態に係る電灯器具用反射キャップが適用された電灯器具を示す斜視図であり、図１３は、図１２の電灯器具用反射キャップの分解様子を示す分解斜視図であり、図１４は、図１２の電灯器具用反射キャップにおける側面カバーおよび締付キャップを示す斜視図である。
【００８６】
図１２から図１４に示すように、前記反射キャップが適用される蛍光灯器具は、前記本体ケーシングＣと電灯（または、蛍光灯）２００と間に、前記蛍光灯２００の光を外部の対象空間に反射させる反射用パネル１２１を備えていてもよい。また、前記蛍光灯２００は、前記ケーシングＣの下側ブラケットの近くに設けられた固定ソケット１１１を介して脱着される蛍光灯などの照明部材を備え、前記照明部材は、固定ソケット１１１に接続された外部の電源供給部（図示せず）から動作電源を供給されて光を発光する。ここで、前記蛍光灯２００は、前記ケーシングＣの下側部に一つ設けられ、前記ケーシングＣの内部には前記蛍光灯２００に安定的な動作電源を供給するための公知の安定器などの動作電源部が形成されることが好ましい。
【００８７】
前記前面シート１１０は、フレキシブルな材質の薄膜状を呈して変形し易い反射部材であり、前記蛍光灯２００の上側に中心部を基準として所定の曲率で湾曲された形状を呈する。
【００８８】
また、前記前面シート１１０は、前記蛍光灯２００と向かい合う反射面に銀やクロムなどの反射物質がメッキ、蒸着または粘着されて前記蛍光灯２００から発せられる光を対象物体または対象空間に反射させることができる。
【００８９】
さらに、前記前面シート１１０は、反射面が蛍光灯２００の上側に中心部を基準として所定の曲率で湾曲された形状を有して、従来のように反射面が蛍光灯２００に対して平面状または折曲面状に形成される場合よりも反射効率を向上させることができ、これにより、蛍光灯２００の照明度をなお一層向上させることができる。
【００９０】
前記拡散フィルム付き背面シート１２０は、ポリカーボネートやＰＥＴなどの合成樹脂材から製作されて前記蛍光灯２００の光を外部に集光・拡散させるフィルムであり、前記前面シート１１０の両端を長く取り囲みながら長手方向に貼り合わせられる。
【００９１】
前記一対の側面カバー１５０は、前記前面シート１１０の所定の曲率が保たれるように前記前面シート１１０および拡散フィルム付き背面シート１２０の長手方向の両端部を保持しながら前記蛍光灯２００の両端に嵌合された状態で設けられるカバー部材であり、前記前面シート１１０および拡散フィルム付き背面シート１２０の内面に嵌合されて前記前面シート１１０および拡散フィルム付き背面シート１２０の内面を保持する保持具１５１と、前記保持具１５１に内面が保持された前面シート１１０の外面と前記前面シート１１０と一体に貼り合わせられた拡散フィルムを有する背面シート１２０の外面とを固定する固定具１５２と、前記保持具１５１および固定具１５２の端部を密閉する保持壁１５３および前記保持壁１５３の外部に延設され、前記保持具１５１の内側中空に嵌入された蛍光灯２００の一部を露出させる貫通口１５４を備える。
【００９２】
ここで、前記保持具１５１は、前記前面シート１１０および拡散フィルム付き背面シート１２０が所定の曲率を有するように、当該曲率をもって形成される。
【００９３】
前記貫通口１５４は、前記保持壁１５３に所定の直径、すなわち、蛍光灯２００の直径に対応する大きさ以上に形成され、外周縁にねじ山１５４ａが形成される。
【００９４】
前記締付キャップ１６０は、前記貫通口１５４の外周縁に形成されたねじ山１５４ａと噛合されるねじ山１６１ａが内周縁に形成された結着具１６１と、前記結着具１６１の端部を密閉し、蛍光灯２００の端部を保持する密閉壁１６２および前記密閉壁１６２の外部に延設され、前記結着具１６１の内側中空に嵌入された蛍光灯２００の端部であるソケット金属部を露出させる露出口１６３を備える。
【００９５】
ここで、前記締付キャップ１６０は、前記露出口１６３の外部に前記蛍光灯２００の端部であるソケット金属部を露出させるために、前記密閉壁１６２と露出口１６３との接続個所に蛍光灯２００の端部であるガラス管の一部とソケット金属部が保持される保持面が段付き状に形成されることが好ましい。
【００９６】
このため、前記第８実施形態に係る蛍光灯器具用反射キャップによれば、前記前面シート１１０および拡散フィルム付き背面シート１２０がそれぞれ蛍光灯１０の上下側に対向するように側面カバー１５０に嵌合され、このとき、側面カバー１５０の貫通口１５４に蛍光灯２００の端部であるソケット金属部が露出されて蛍光灯２００の端子ピンが固定ソケット１１１の端子ピン嵌入部に嵌入されることにより、反射キャップを組み立て易くし、蛍光灯２００の照度を均一にし、しかも、反射効率を向上させることができる。
【００９７】
また、前記側面カバー１５０の貫通口１５４に締付キャップ１６０が螺合により脱着されることにより、締付キャップ１６０の露出口１６３を介して蛍光灯２００の端部であるソケット金属部を露出させるような密閉を可能にして、前面シート１１０と、拡散フィルム付き背面シート１２０と、側面カバー１５０および締付キャップ１６０を用いて照明効率の向上を図るとともに、蛍光灯２００の破損時における飛散を防ぐことができる。
【００９８】
一方、図１５は、本発明の好適な第８実施形態に係る電灯器具用反射キャップにおける側面カバーを示す正面図である。
【００９９】
本発明の好適な第８実施形態に係る電灯器具用反射キャップは、前記側面カバー１５０の外形が半円形、すなわち、下側部が直線状を呈し、上側部が半円に丸められた形状を呈しているが、図１３に示すように、電灯（または、蛍光灯）器具用反射キャップは、前記側面カバー１５０の外形が半円形ではなく、長円形、すなわち、下側部が所定の曲率で丸められ、上側部が半円状に丸められた形状を呈することにより、前記側面カバー１５０の下側部に所定の曲率で丸められて嵌合される拡散フィルム付き背面シートを透過した光が電灯器具付き天井面にも照射されて建物の内部の全体が広く見られるようにできる。
【産業上の利用可能性】
【０１００】
以上述べたように、本発明に係る電灯の照度を向上させる反射キャップは、電灯、壁灯、埋込灯、ＬＥＤ灯、蛍光灯、三波長ランプに適用可能である。
【０１０１】
本発明は、前記実施形態に何ら限定されるものではなく、本発明の技術的思想を逸脱しない範囲内において種々に修正および変形して実施し得るということはこの技術分野における通常の知識を持った者であればだれでも理解できるであろう。
【符号の説明】
【０１０２】
１００: 反射キャップ
１１０: 前面シート
１１２: 拡散胴体部
１１４: 第１拡散端部
１１６: 第２拡散端部
１２０: 背面シート
１２２: 反射胴体部
１２４: 第１反射端部
１２６: 第２反射端部
１３０: 孔
１４０: 蓄光部
１５０: 側面カバー
１５１: 保持具
１５２: 固定具
１５３: 保持壁
１５４: 貫通口
１５４ａ: ねじ山
１６１: 結着具
１６１ａ: ねじ山
１６２: 密閉壁
１６３: 露出口
２００: 蛍光灯
３１０: 第１係合部材
３２０: 第２係合部材
【図１】
2014165081.tif 000003
【図２】
2014165081.tif 000004
【図３】
2014165081.tif 000005
【図４】
2014165081.tif 000006
【図５】
2014165081.tif 000007
【図６】
2014165081.tif 000008
【図７】
2014165081.tif 000009
【図８】
2014165081.tif 000010
【図９】
2014165081.tif 000011
【図１０】
2014165081.tif 000012
【図１１】
2014165081.tif 000013
【図１２】
2014165081.tif 000014
【図１３】
2014165081.tif 000015
【図１４】
2014165081.tif 000016
【図１５】
2014165081.tif 000017